【手続補正書】
【提出日】平成19年3月27日(2007.3.27)
【手続補正１】
【補正対象書類名】明細書
【補正対象項目名】発明の名称
【補正方法】変更
【補正の内容】
【発明の名称】送信装置、及び受信装置
【手続補正２】
【補正対象書類名】明細書
【補正対象項目名】特許請求の範囲
【補正方法】変更
【補正の内容】
【特許請求の範囲】
【請求項１】  ＡＶデータを入力する入力手段と、
前記ＡＶデータを受信装置に送信し、前記受信装置からコピー制御情報を受信する第１インターフェースとを備え、
前記第１インターフェースは、
前記ＡＶデータにコピー制御情報を付加するコピー制御情報付加手段と、
前記コピー制御情報が付加されたＡＶデータを送信する送信手段と、
前記受信装置からコピー制御情報を受信する受信手段と、
前記コピー制御情報付加手段で付加したコピー制御情報と前記受信手段で受信したコピー制御情報が一致しない場合、前記ＡＶデータの送信を中止するよう制御する制御手段と、を有することを特徴とする送信装置。
【請求項２】  前記第１インターフェースは、暗号化された前記ＡＶデータに付加されて送信されたコピー制御情報を前記受信装置より受信することを特徴とする請求項１記載の送信装置。
【請求項３】  前記第１インターフェースは、前記ＡＶデータに付加されて送信されたコピー制御情報を無線で前記受信装置より受信することを特徴とする請求項１記載の送信装置。
【請求項４】  前記第１インターフェースは、前記ＡＶデータに付加されて送信されたコピー制御情報をＰＨＹパケットとして前記受信装置より受信することを特徴とする請求項１記載の送信装置。
【請求項５】  前記第１インターフェースは、前記ＡＶデータに付加されていたコピー制御情報を含む前記ＡＶデータの一部を前記受信装置より受信することを特徴とする請求項１〜４のいずれかに記載の送信装置。
【請求項６】  前記第１インターフェースは、前記第１インターフェースから送信したコピー制御情報を返信するように前記受信装置に要求し、前記要求に従って、返信されたＡＶデータに付加されていたコピー制御情報を受信することを特徴とする請求項１〜４のいずれかに記載の送信装置。
【請求項７】  前記第１インターフェースはＩＥＥＥ１３９４インターフェースであることを特徴とする請求項１〜６のいずれかに記載の送信装置。
【請求項８】  送信装置から送られてきたコピー制御情報が付加されたＡＶデータを受信し、前記ＡＶデータに付加されていたコピー制御情報を前記送信装置に返信する第２インターフェースを備えたことを特徴とする受信装置。
【請求項９】  前記第２インターフェースは、前記ＡＶデータに付加されていたコピー制御情報を暗号化して返信することを特徴とする請求項８記載の受信装置。
【請求項１０】  前記第２インターフェースは、前記ＡＶデータに付加されていたコピー制御情報を無線で返信することを特徴とする請求項８記載の受信装置。
【請求項１１】  前記第２インターフェースは、前記ＡＶデータに付加されていたコピー制御情報をＰＨＹパケットとして返信することを特徴とする請求項８記載の受信装置。
【請求項１２】  前記第２インターフェースは、前記送信されたＡＶデータを受信した際、前記受信したＡＶデータに付加されていたコピー制御情報を含む前記受信したＡＶデータの一部を返信することを特徴とする請求項８〜１１のいずれかに記載の受信装置。
【請求項１３】  前記送信装置からコピー制御情報を返信する要求を受信し、
前記第２インターフェースは、前記要求に従って、前記受信したＡＶデータに付加されていたコピー制御情報を返信することを特徴とする請求項８〜１１のいずれかに記載の受信装置。
【請求項１４】  前記第２インターフェースはＩＥＥＥ１３９４インターフェースであることを特徴とする請求項８〜１３のいずれかに記載の受信装置。
【手続補正３】
【補正対象書類名】明細書
【補正対象項目名】０００１
【補正方法】変更
【補正の内容】
【０００１】
【発明の属する技術分野】
本発明は、著作権主張されたＡＶデータの著作権を保護してＡＶデータを送信する送信装置、及び、著作権を保護してＡＶデータを受信する受信装置に関するものである。
【手続補正４】
【補正対象書類名】明細書
【補正対象項目名】００３１
【補正方法】変更
【補正の内容】
【００３１】
本発明は、上記課題を考慮し、ＥＭＩなどのアイソクロナスパケットのヘッダに格納されているコピー制御情報が伝送中に不正に書き替えられても著作権保護が必要なＡＶデータの著作権を保護することが出来る送信装置、及び受信装置を提供することを目的とするものである。
【手続補正５】
【補正対象書類名】明細書
【補正対象項目名】００３２
【補正方法】変更
【補正の内容】
【００３２】
【課題を解決するための手段】
上述した課題を解決するために、第１の本発明（請求項１に対応）は、ＡＶデータを入力する入力手段と、前記ＡＶデータを受信装置に送信し、前記受信装置からコピー制御情報を受信する第１インターフェースとを備え、前記第１インターフェースは、前記ＡＶデータにコピー制御情報を付加するコピー制御情報付加手段と、前記コピー制御情報が付加されたＡＶデータを送信する送信手段と、前記受信装置からコピー制御情報を受信する受信手段と、前記コピー制御情報付加手段で付加したコピー制御情報と前記受信手段で受信したコピー制御情報が一致しない場合、前記ＡＶデータの送信を中止するよう制御する制御手段と、を有することを特徴とする送信装置である。
【手続補正６】
【補正対象書類名】明細書
【補正対象項目名】００３３
【補正方法】変更
【補正の内容】
【００３３】
また、第２の本発明（請求項２に対応）は、前記第１インターフェースは、前記ＡＶデータに付加されて送信されたコピー制御情報を無線で前記受信装置より受信することを特徴とする第１の本発明の送信装置である。
【手続補正７】
【補正対象書類名】明細書
【補正対象項目名】００３４
【補正方法】変更
【補正の内容】
【００３４】
また、第３の本発明（請求項３に対応）は、前記第１インターフェースは、前記ＡＶデータに付加されて送信されたコピー制御情報を無線で前記受信装置より受信することを特徴とする第１の本発明の送信装置である。
【手続補正８】
【補正対象書類名】明細書
【補正対象項目名】００３５
【補正方法】変更
【補正の内容】
【００３５】
また、第４の本発明（請求項４に対応）は、前記第１インターフェースは、前記ＡＶデータに付加されて送信されたコピー制御情報をＰＨＹパケットとして前記受信装置より受信することを特徴とする第１の本発明の送信装置である。
【手続補正９】
【補正対象書類名】明細書
【補正対象項目名】００３６
【補正方法】変更
【補正の内容】
【００３６】
また、第５の本発明（請求項５に対応）は、前記第１インターフェースは、前記ＡＶデータに付加されていたコピー制御情報を含む前記ＡＶデータの一部を前記受信装置より受信することを特徴とする第１〜４の何れか一つの本発明の送信装置である。
【手続補正１０】
【補正対象書類名】明細書
【補正対象項目名】００３７
【補正方法】変更
【補正の内容】
【００３７】
また、第６の本発明（請求項６に対応）は、前記第１インターフェースは、前記第１インターフェースから送信したコピー制御情報を返信するように前記受信装置に要求し、前記要求に従って、返信されたＡＶデータに付加されていたコピー制御情報を受信することを特徴とする第１〜４の何れか一つの本発明の送信装置である。
【手続補正１１】
【補正対象書類名】明細書
【補正対象項目名】００３８
【補正方法】変更
【補正の内容】
【００３８】
また、第７の本発明（請求項７に対応）は、前記第１インターフェースはＩＥＥＥ１３９４インターフェースであることを特徴とする第１〜６の何れか一つの本発明の送信装置である。
【手続補正１２】
【補正対象書類名】明細書
【補正対象項目名】００３９
【補正方法】削除
【補正の内容】
【手続補正１３】
【補正対象書類名】明細書
【補正対象項目名】００４０
【補正方法】変更
【補正の内容】
【００４０】
また、第８の本発明（請求項８に対応）は、送信装置から送られてきたコピー制御情報が付加されたＡＶデータを受信し、前記ＡＶデータに付加されていたコピー制御情報を前記送信装置に返信する第２インターフェースとを備えたことを特徴とする受信装置である。
【手続補正１４】
【補正対象書類名】明細書
【補正対象項目名】００４１
【補正方法】変更
【補正の内容】
【００４１】
また、第９の本発明（請求項９に対応）は、前記第２インターフェースは、前記ＡＶデータに付加されていたコピー制御情報を暗号化して返信することを特徴とする第８の本発明の受信装置である。
【手続補正１５】
【補正対象書類名】明細書
【補正対象項目名】００４２
【補正方法】変更
【補正の内容】
【００４２】
また、第１０の本発明（請求項１０に対応）は、前記第２インターフェースは、前記ＡＶデータに付加されていたコピー制御情報を無線で返信することを特徴とする第８の本発明の受信装置である。
【手続補正１６】
【補正対象書類名】明細書
【補正対象項目名】００４３
【補正方法】変更
【補正の内容】
【００４３】
また、第１１の本発明（請求項１１に対応）は、前記第２インターフェースは、前記ＡＶデータに付加されていたコピー制御情報をＰＨＹパケットとして返信することを特徴とする第８の本発明の受信装置である。
【手続補正１７】
【補正対象書類名】明細書
【補正対象項目名】００４４
【補正方法】変更
【補正の内容】
【００４４】
また、第１２の本発明（請求項１２に対応）は、前記第２インターフェースは、前記送信されたＡＶデータを受信した際、前記受信したＡＶデータに付加されていたコピー制御情報を含む前記受信したＡＶデータの一部を返信することを特徴とする第８〜１１の何れか一つの本発明の受信装置である。
【手続補正１８】
【補正対象書類名】明細書
【補正対象項目名】００４５
【補正方法】変更
【補正の内容】
【００４５】
また、第１３の本発明（請求項１３に対応）は、前記送信装置からコピー制御情報を返信する要求を受信し、前記第２インターフェースは、前記要求に従って、前記ＡＶデータに付加されていたコピー制御情報を返信することを特徴とする第８〜１１の何れか一つの本発明の受信装置である。
【手続補正１９】
【補正対象書類名】明細書
【補正対象項目名】００４６
【補正方法】変更
【補正の内容】
【００４６】
また、第１４の本発明（請求項１４に対応）は、前記第２インターフェースはＩＥＥＥ１３９４インターフェースであることを特徴とする第８〜１３の何れか一つの本発明の受信装置である。
【手続補正２０】
【補正対象書類名】明細書
【補正対象項目名】００４７
【補正方法】削除
【補正の内容】
【手続補正２１】
【補正対象書類名】明細書
【補正対象項目名】００４８
【補正方法】削除
【補正の内容】
【手続補正２２】
【補正対象書類名】明細書
【補正対象項目名】００４９
【補正方法】削除
【補正の内容】
【手続補正２３】
【補正対象書類名】明細書
【補正対象項目名】００５０
【補正方法】削除
【補正の内容】
【手続補正２４】
【補正対象書類名】明細書
【補正対象項目名】００５１
【補正方法】削除
【補正の内容】
【手続補正２５】
【補正対象書類名】明細書
【補正対象項目名】００５２
【補正方法】削除
【補正の内容】
【手続補正２６】
【補正対象書類名】明細書
【補正対象項目名】００５３
【補正方法】削除
【補正の内容】
【手続補正２７】
【補正対象書類名】明細書
【補正対象項目名】０２７８
【補正方法】変更
【補正の内容】
【０２７８】
また、上記記録媒体とは、ＲＯＭ等の記録媒体等を含む。
【手続補正２８】
【補正対象書類名】明細書
【補正対象項目名】０２８１
【補正方法】削除
【補正の内容】
【手続補正２９】
【補正対象書類名】明細書
【補正対象項目名】０２８２
【補正方法】変更
【補正の内容】
【０２８２】
【発明の効果】
以上説明したところから明らかなように本発明は、例えば、ＥＭＩなどのアイソクロナスパケットのヘッダに格納されているコピー制御情報が伝送中に不正に書き替えられても著作権保護が必要なＡＶデータの著作権を保護することが出来る送信装置、及び受信装置を提供することが出来る。